(57)【特許請求の範囲】
【請求項１】
着信時の点灯告知用の発光素子を有する発光出力手段と、
前記発光素子を駆動する発光駆動手段と、
着信時の音声告知用のメロディ音を再生出力するメロディ再生手段と、
前記再生出力するメロディ音に関する情報に基づき、前記発光素子の点滅タイミングと点滅色の少なくとも一方を変化させる情報を含むメロディ同期点灯制御信号を出力する制御手段とを備え、
前記発光駆動手段は、前記制御手段からのメロディ同期点灯制御信号に基づいて、前記メロディ音の鳴動に連動して前記発光素子が点滅動作するように駆動信号を前記発光出力手段へ出力し、
前記メロディ再生手段は、着信時に再生出力するメロディ音の音色状態を判定して特定の音色状態のときに前記メロディ同期点灯制御信号を生成するためのメロディ再生制御信号を出力し、前記特定の音色状態以外の音色状態のときに前記メロディ再生制御信号を出力しない音色判定手段を有することを特徴とする携帯通信装置。
【請求項２】
前記音色判定手段は、メロディ音の鳴動開始時の音量の大きくなりつつある状態のときに前記メロディ再生制御信号を出力し、それ以外の状態のときに前記メロディ再生制御信号を出力しないことを特徴とする請求項１に記載の携帯通信装置。
【請求項３】
前記音色判定手段は、メロディ音の継続時の音量の一定している状態のときに前記メロディ再生制御信号を出力し、それ以外の状態のときに前記メロディ再生制御信号を出力しないことを特徴とする請求項１に記載の携帯通信装置。
【請求項４】
前記発光出力手段は、複数色に発光可能な発光素子を有して構成され、前記制御手段は、前記発光素子の点滅タイミング及び点滅色を前記メロディ音の鳴動に連動して変化させる情報を含むメロディ同期点灯制御信号を出力することを特徴とする請求項１乃至請求項３のいずれか１項に記載の携帯通信装置。
【請求項５】
前記発光出力手段は、着信時に点灯する着信ＬＥＤと、表示部を照明するバックライトＬＥＤとを有し、前記発光駆動手段は、前記着信ＬＥＤ及びバックライトＬＥＤを前記メロディ音の鳴動に連動して点滅させるように駆動信号を出力することを特徴とする請求項１乃至請求項３のいずれか１項に記載の携帯通信装置。
【請求項６】
前記発光出力手段は、さらにキー操作部を照明するキーＬＥＤを有し、前記発光駆動手段は、前記着信ＬＥＤ、バックライトＬＥＤ及びキーＬＥＤを前記メロディ音の鳴動に連動して点滅させるように駆動信号を出力することを特徴とする請求項５に記載の携帯通信装置。
【請求項７】
前記メロディ音の鳴動に連動して装置筐体を振動させる振動手段をさらに備えたことを特徴とする請求項１乃至請求項６のいずれか１項に記載の携帯通信装置。
【発明の詳細な説明】
【０００１】
【発明の属する技術分野】
本発明は、例えば携帯電話機などの着信時に着信音を鳴動したりランプを点灯表示したりして使用者に着信を知らせる着信報知機能を有する携帯通信装置に関する。
【０００２】
【従来の技術】
従来のこの種の携帯通信装置は、一般的に着信があったときに、ＬＥＤ等のランプの点灯または点滅を行わせると同時に、メロディ音等の着信音を鳴動させて着信があったことを使用者に知らせるだけのものであった。つまり、従来は、着信があったことを知らせる手法として、ランプを点灯または点滅させる手法と、着信音を鳴動させる手法とを、携帯電話機等の携帯通信装置に適用しているに過ぎなかった。
【０００３】
このため、ランプの点灯または点滅と着信音の鳴動とは、何らの関連性もなく、着信時にはランプが常に一様な態様で点灯または点滅し、この状態は着信音を同時に鳴動させる場合であっても同様であった。また、バイブレータによる振動と組合せる構成にした場合であっても、着信時にバイブレータが着信音の鳴動とは無関係に一定タイミングで振動するに過ぎないものであった。
【０００４】
一方、この種の携帯通信装置とは直接的な関連性はないが、メロディ再生の周期に同期して一周期毎に発光部材を一定タイミングで点滅させる手法についての技術が例えば実公平８−１５１３号公報に開示されている。
【０００５】
この開示された手法が適用された従来の携帯通信装置の一例を図８のブロック図に示す。この従来の携帯通信装置は、基本的な構成各部として、発光出力部１０１、ＬＥＤ駆動部１０２、メロディ再生部１０３、制御部１０４、キー操作部１０５、無線通信部１０６を有している。発光出力部１０１は、発光出力先となる複数のＬＥＤ１１１〜１１３を備えており、これらのＬＥＤ１１１〜１１３はＬＥＤ駆動部１０２より駆動電流が供給されてそれぞれ発光するようになっている。前記各ＬＥＤ１１１〜１１３のうち、着信ＬＥＤ１１１は、着信時に点滅されるものである。液晶バックライトＬＥＤ１１２は、キー操作部１０５での各種操作時や着信時などに点灯して液晶表示部を照明するものである。キーＬＥＤ１１３は、キー操作部１０５での各種操作時などに該キー操作部１０５のキー自体を照明するものである。
【０００６】
制御部１０４は、キー認識部１４５を有し、キー操作部１０５からのキー操作信号に基づいてキー認識部１４５でキー操作を認識してキー点灯制御信号１４１を出力する。また、着信制御部１４６を有しており、無線通信部１０６からの受信信号出力に基づいて着信制御部１４６で着信状態を認識して着信点灯制御信号１４２を出力する。
【０００７】
ＬＥＤ駆動部１０２は、着信ＬＥＤ駆動部１２１、液晶バックライト駆動部１２２、キーＬＥＤ駆動部１２３を有し、これらの各駆動部１２１〜１２３によって発光出力部１０１の着信ＬＥＤ１１１、液晶バックライトＬＥＤ１１２、キーＬＥＤ１１３をそれぞれ点灯もしくは点滅動作させる。メロディ再生部１０３は、着信時もしくは必要に応じて適宜に着信音などのメロディ音を再生するもので、メロディ音を再生出力するときには制御部１０４の着信制御部１４６との間で音制御信号１４４を入出力するとともに、ＬＥＤ駆動部１０２の着信ＬＥＤ駆動部１２１に着信点灯制御信号１４３を出力する。ＬＥＤ１１１〜１１３の点灯時には、前記キー点灯制御信号１４１や着信点灯制御信号１４２，１４３に基づいて、ＬＥＤ駆動部１０２において各駆動部１２１〜１２３より駆動信号１２４，１２５，１２６をそれぞれ出力する。
【０００８】
上記従来例では、着信があった場合、これを制御部１０４の着信制御部１４６が認識し、着信点灯制御信号１４２をＬＥＤ駆動部１０２の液晶バックライト駆動部１２２及びキーＬＥＤ駆動部１２３へと出力することで、液晶バックライトＬＥＤ１１２及びキーＬＥＤ１１３を点灯させる。また、メロディ再生部１０３より着信点灯制御信号１４３を着信ＬＥＤ駆動部１２１へ出力することで、着信ＬＥＤ１１１を点滅させる。なおこの場合、メロディ再生部１０３による着信音の再生と同時に、着信ＬＥＤ１１１をメロディ再生の周期に同期して一周期毎に一定タイミングで点滅させる。また、着信時以外でメロディ再生部１０３によってメロディ音を再生する場合に、メロディ再生の周期に同期して一周期毎に一定タイミングで着信ＬＥＤ１１１だけを点滅させることも可能である。
【０００９】
【発明が解決しようとする課題】
上述したように、従来例の携帯通信装置では、常にメロディ再生の周期に同期して一周期毎に一定タイミングで着信ＬＥＤ１１１を点滅させるだけに過ぎず、メロディ再生部１０３にてどのようなメロディ音が再生される場合であっても、常に一様な態様で点滅するようになっていた。
【００１０】
しかし最近では、着信音のメロディ音が多音化したりなど日々進歩しているため、着信時のＬＥＤ点灯についてもメロディ音と同様に多様なパターンで点滅できるようにするのが好ましい。例えば、他者とは異なるＬＥＤ点灯方法によって着信時の見た目を鮮やかにしたり、差別化を図りたいなどのユーザからの要望がある。従来のようにＬＥＤの点滅の態様が一通りでは、ユーザの多様な要望や利用状況に対応させることができず、面白みに欠けるものとなる。
【００１１】
本発明は、上記事情に鑑みてなされたもので、着信時などにメロディ再生手段により再生されるメロディ音の鳴動に連動するようにしたりなど、点灯告知用の発光素子の点滅タイミングや点滅色等を多様に変化させることが可能な携帯通信装置を提供することを目的とする。
【００１２】
【課題を解決するための手段】
本発明の携帯通信装置は、第１に、点灯告知用の発光素子を有する発光出力手段と、前記発光素子を駆動する発光駆動手段と、音声告知用のメロディ音を再生出力するメロディ再生手段と、前記再生出力するメロディ音に関する情報に基づき、前記発光素子の点滅タイミングと点滅色の少なくとも一方を変化させる情報を含むメロディ同期点灯制御信号を出力する制御手段とを備え、前記発光駆動手段は、前記制御手段からのメロディ同期点灯制御信号に基づいて、前記メロディ音の鳴動に連動して前記発光素子が点滅動作するように駆動信号を前記発光出力手段へ出力することを特徴とする。
【００１３】
また、第２に、前記発光出力手段は、複数色に発光可能な発光素子を有して構成され、前記制御手段は、前記発光素子の点滅タイミング及び点滅色を前記メロディ音の鳴動に連動して変化させる情報を含むメロディ同期点灯制御信号を出力することを特徴とする。
【００１４】
また、第３に、前記発光出力手段は、着信時に点灯する着信ＬＥＤと、表示部を照明するバックライトＬＥＤとを有し、前記発光駆動手段は、前記着信ＬＥＤ及びバックライトＬＥＤを前記メロディ音の鳴動に連動して点滅させるように駆動信号を出力することを特徴とする。
【００１５】
さらに、第４に、前記発光出力手段は、さらにキー操作部を照明するキーＬＥＤを有し、前記発光駆動手段は、前記着信ＬＥＤ、バックライトＬＥＤ及びキーＬＥＤを前記メロディ音の鳴動に連動して点滅させるように駆動信号を出力することを特徴とする。
【００１６】
また、第５に、前記メロディ音に関する音情報と、前記メロディ音に対応する前記発光素子の点滅色の情報を含む発光情報とを記憶する記憶手段を備え、
前記制御手段は、前記音情報及び発光情報に基づいて、前記発光素子の点滅タイミング及び点滅色を変化させる情報を含むメロディ同期点灯制御信号を出力することを特徴とする。
【００１７】
また、第６に、前記メロディ再生手段は、再生出力するメロディ音の発音タイミングに同期して前記制御手段においてメロディ同期点灯制御信号を生成するためのメロディ再生制御信号を出力することを特徴とする。
【００１８】
さらに、第７に、前記メロディ再生手段は、再生出力するメロディ音の音色を判定して特定の音色状態のときにのみ前記メロディ再生制御信号を出力する音色判定手段を有することを特徴とする。
【００１９】
或いは、第８に、前記メロディ再生手段は、再生出力するメロディ音の音量レベルを検出して規定値以上のレベルとなったときに前記メロディ再生制御信号を出力する再生音量検出手段を有することを特徴とする。
【００２０】
また、第９に、前記メロディ音の鳴動に連動して装置筐体を振動させる振動手段をさらに備えたことを特徴とする。
【００２１】
上記構成において、メロディ再生手段で再生するメロディ音に関する情報に基づき、発光出力手段でのＬＥＤ等の発光素子の点滅タイミングと点滅色の少なくとも一方を変化させる情報を含むメロディ同期点灯制御信号を制御手段が出力し、このメロディ同期点灯制御信号に基づいて、メロディ音の鳴動に連動して発光素子が点滅動作するように発光駆動手段が駆動信号を発光出力手段へ出力して発光駆動する。これにより、発光出力手段の着信ＬＥＤ等の発光素子が着信時等に再生されるメロディ音の鳴動に同期して点滅動作する。このとき、メロディ音に連動して発光素子の点滅タイミングや点滅色等を多様に変化させることが可能となっている。
【００２２】
また、メロディ音に関する音情報と、メロディ音に対応する発光素子の点滅色の情報を含む発光情報とを記憶手段に記憶して適宜設定変更可能とすることで、メロディ再生時にメロディ音及びそれに対応する点滅色などをユーザにおいて入力操作により容易に変更でき、多種のメロディに対して様々な態様で発光素子の点滅を連動させることが可能となる。また、発光素子の点滅と合わせて、振動手段によって装置筐体をメロディ音に同期させて振動させることも可能である。発光素子の点滅は、所定の音色状態や規定値以上の音量レベルのときなどに、メロディ音に同期させて発光させることも可能である。
【００２３】
【発明の実施の形態】
以下、図面を参照して本発明の実施の形態を説明する。
［第１実施形態］
図１は本発明の第１実施形態に係る携帯通信装置の主要部の構成を示すブロック図である。
【００２４】
本実施形態の携帯通信装置は、基本的な構成各部として、発光出力部（発光出力手段に該当）１、ＬＥＤ駆動部（発光駆動手段に該当）２、メロディ再生部（メロディ再生手段に該当）３、制御部（制御手段に該当）４、キー操作部５、無線通信部６を有している。携帯通信装置としては、携帯電話機やＰＨＳ等の移動体通信端末、通信機能を有するＰＤＡなどに本実施形態を適用可能である。
【００２５】
発光出力部１は、発光素子として発光出力先となる複数のＬＥＤ１１〜１３を備えており、これらのＬＥＤ１１〜１３はＬＥＤ駆動部２より駆動電流が供給されてそれぞれ発光するようになっている。前記各ＬＥＤ１１〜１３のうち、着信ＬＥＤ１１は、着信時に点滅等して点灯されるものである。液晶バックライトＬＥＤ１２は、キー操作部５での各種操作時や着信時などに点灯して液晶表示部を照明するものである。キーＬＥＤ１３は、キー操作部５での各種操作時などに該キー操作部５のキー自体を照明するものである。
【００２６】
制御部４は、キー認識部４８を有し、キー操作部５からのキー操作信号に基づいてキー認識部４８でキー操作を認識してキー点灯制御信号４１を出力する。また、着信制御部４９を有しており、無線通信部６からの受信信号出力に基づいて着信制御部４９で着信状態を認識して着信音制御信号３２を出力する。さらに、ＬＥＤ点灯のオンオフや発光色の決定などの制御を行う発光制御部４５，４６，４７を有し、着信時の発光色情報などを含むメロディ同期点灯制御信号４２，４３，４４を出力する。
【００２７】
ＬＥＤ駆動部２は、着信ＬＥＤ駆動部２１、液晶バックライト駆動部２２、キーＬＥＤ駆動部２３を有し、これらの各駆動部２１〜２３によって発光出力部１の着信ＬＥＤ１１、液晶バックライトＬＥＤ１２、キーＬＥＤ１３をそれぞれ点灯もしくは点滅動作させる。また、制御部４からのキー点灯制御信号４１と着信点灯制御信号４２，４３とを切り替えて着信ＬＥＤ駆動部２１、液晶バックライト駆動部２２へ入力する切替え部２７を備えている。メロディ再生部３は、着信時もしくは必要に応じて適宜に着信音などのメロディ音を再生するもので、着信制御部４９との間で着信音制御信号３２を入出力してメロディ音を再生出力する。またメロディ音の再生時には、発光制御部４５〜４７にメロディ音の再生情報を含むメロディ再生制御信号３１を出力する。
【００２８】
このＬＥＤ駆動部２では、設定や動作状態などに応じて切替え部２７において前記キー点灯制御信号４１とメロディ同期点灯制御信号４２，４３とが切り替えられ、各駆動部２１〜２３において、前記キー点灯制御信号４１やメロディ同期点灯制御信号４２，４３，４４に基づいて駆動信号２４，２５，２６がそれぞれ出力される。この各駆動部２１〜２３及び切替え部２７において、各制御信号４１〜４４により示される情報に対応させて、発光出力部１の各ＬＥＤ１１〜１３毎にメロディ音の鳴動に連動するように各ＬＥＤの点滅タイミング及び発光色を変化させる手段が構成される。
【００２９】
上記のように構成された本実施形態の携帯通信装置においては、着信音等のメロディを再生するためにメロディ再生部３が動作すると、そのメロディの音色が鳴動されるのと同タイミングで、メロディ音の再生情報を示すメロディ再生制御信号３１が制御部４の発光制御部４５〜４７へ出力される。このとき、発光制御部４５〜４７では、発光出力部１の各ＬＥＤ１１〜１３毎にＬＥＤの点滅タイミング及びＬＥＤの発光色に連動する音色が予め設定されており、メロディ音の再生情報に応じたタイミング及び色を示すメロディ同期点灯制御信号４２〜４４が生成されて出力される。
【００３０】
なお、各ＬＥＤ１１〜１３は、例えばＲ（赤），Ｇ（緑），Ｂ（青）の三色の発光部を備えた複数色発光可能な多色ＬＥＤで構成されており、入力する駆動信号に応じて各色のＬＥＤを単独又は組み合わせて発光させることができるようになっている。このようなＬＥＤを用いることによって、所望の色の点灯光を得ることができる。また、メロディの音階毎に、例えば「ド」は「赤」などの各音階に対応する色を設定しておき、メロディの音階の動きに応じて色を変化させて発光させるようにすることも可能である。
【００３１】
ＬＥＤ駆動部２では、着信ＬＥＤ１１とともに液晶バックライトＬＥＤ１２及びキーＬＥＤ１３をメロディ音の鳴動に連動するようにＬＥＤを点灯させる設定の場合、切替え部２７を図１に示される状態から反対の状態に切り替えてメロディ同期点灯制御信号４２〜４４がそれぞれ各駆動部２１〜２３に入力されるようにする。そして、着信ＬＥＤ駆動部２１、液晶バックライト駆動部２２、キーＬＥＤ駆動部２３のそれぞれにおいて、メロディ同期点灯制御信号４２，４３，４４に基づいてメロディ音の再生情報に応じた駆動信号２４，２５，２６が生成されて出力され、発光出力部１の着信ＬＥＤ１１、液晶バックライトＬＥＤ１２、キーＬＥＤ１３にそれぞれ供給されて各ＬＥＤが点灯駆動される。これにより、発光出力部１では、メロディ再生部３により再生されるメロディ音の鳴動に連動させて各ＬＥＤ１１〜１３毎にＬＥＤの点滅タイミング及びＬＥＤの発光色を変化させて点滅させることができる。
【００３２】
ここで、液晶バックライト駆動部２２の詳細構成の一例について図２を用いて説明する。なお、他の着信ＬＥＤ駆動部２１及びキーＬＥＤ駆動部２３においても同様であり、ここでは液晶バックライト駆動部２２で代表して説明を行い、他は省略する。
【００３３】
液晶バックライト駆動部２２は、複数のスイッチＳＷ１〜ＳＷｎが並列接続されたスイッチ回路を有してなる。この例では、ソースを接地して共通接続した複数のＦＥＴからなるスイッチ素子を用いた構成を示す。これらのスイッチＳＷ１〜ＳＷｎの制御入力端子（ゲート）にはセレクタ５１が接続され、このセレクタ５１に入力するメロディ同期点灯制御信号４３に応じてスイッチＳＷ１〜ＳＷｎのいずれか又は所定の組み合わせがオン／オフするようになっている。そして、液晶バックライト駆動部２２からの出力の駆動信号２５によって、液晶バックライトＬＥＤ１２が所定の発光色で点灯する。
【００３４】
例えば、スイッチＳＷ１がオンになると、これが「赤」を発色させるための出力となって駆動信号２５として液晶バックライトＬＥＤ１２に入力される。これにより、液晶バックライトＬＥＤ１２では「赤」が発色されることになる。各色のＬＥＤに対してそれぞれ一つのスイッチを割り当ててもよいし、一色のＬＥＤ毎に複数のスイッチを割り当てて各色を多段階の階調で発色させるようにすることも可能である。
【００３５】
また、ＬＥＤ駆動部２の切替え部２７における選択状態を図１に示される状態にしておくことで、従来通り、キー操作部５でのキー操作がなされたときに、液晶バックライトＬＥＤ１２及びキーＬＥＤ１３が所定時間継続して点灯するようにすることも可能である。この場合、キー操作部５から制御部４内部のキー認識部４８に対してキーボタン信号が入力されると、キー認識部４８では、ＬＥＤ駆動部２内部の液晶バックライト駆動部２２及びキーＬＥＤ駆動部２３に対しキー点灯制御信号４１を出力する。そして、このキー点灯制御信号４１に基づいて、液晶バックライト駆動部２２及びキーＬＥＤ駆動部２３から対応する液晶バックライトＬＥＤ１２及びキーＬＥＤ１３へ駆動信号２４，２５が入力され、これらのＬＥＤが点灯する。
【００３６】
このように、ＬＥＤ駆動部２の各駆動部２１〜２３に供給する制御信号を切り替えることによって、従来のＬＥＤ点灯部による発光時の仕様を満たしつつ、モロディ音の再生時にはそのメロディの音色、旋律、リズム等に連動させ、またＬＥＤの発光色を変化させながら、メロディの再生タイミングに同期させてＬＥＤを点滅させることができる。
【００３７】
上述したように、本実施形態では、従来のようなキー操作時や着信時に液晶バックライトＬＥＤ及びキーＬＥＤを点灯させたり、着信ＬＥＤを一様な態様で点滅させるのに加えて、着信音等のメロディ再生時には、そのメロディの音色、旋律、リズム等に連動させて、各ＬＥＤの発光色を変化させたりしながら点滅動作を実施することができる。したがって、着信時などにメロディ再生部により再生されるメロディ音の鳴動に連動するようにしたりなど、着信ＬＥＤや液晶バックライトＬＥＤ、キーＬＥＤなどを点灯告知用のランプとして点滅タイミング及び点滅色を多様に変化させることができ、ユーザの多様な要望や利用状況に対応させることが可能となる。
【００３８】
［第２実施形態］
図３は本発明の第２実施形態に係る携帯通信装置の主要部の構成を示すブロック図である。
【００３９】
第２実施形態は、図１に示した第１実施形態の構成に加えて、各種設定情報などを記憶する記憶部７を備え、着信音等で再生するメロディの音情報を記憶する音情報記憶部７３とメロディ音に対応する発光色等の発光情報を記録する発光情報記憶部７４とを有している。また、メロディ再生部３には、再生するメロディに合わせたＬＥＤの点滅を制御するメロディ点滅制御部３５を有している。その他の構成要素は第１実施形態と同様であり、ここでは説明を省略する。
【００４０】
記憶部７の音情報記憶部７３には、一つ又は複数のメロディの音情報が記憶されるようになっており、ユーザが記憶したい音色、旋律、リズム等を指定することにより、その指定内容が音情報記憶部７３に伝えられて対応する音情報が書き込まれて記憶される。また、発光情報記憶部７４には、メロディ音に連動させて点滅させるＬＥＤの色情報などの発光情報が記憶されるようになっており、ユーザがメロディの音色や音階などに対応する色等を指定することによって、その指定内容が発光情報記憶部７４に伝えられて対応する発光情報が書き込まれて記憶される。なお、これらの音情報や発光情報は、一つまたはいくつかの設定情報を予め初期設定として記憶しておいてもよいし、ユーザによって任意に書き換え可能とすることもできる。また、ＬＥＤの発光色を固定として発光情報を設けずに固定色で点滅タイミングのみをメロディ音に連動させるようにしてもよい。
【００４１】
着信時等にメロディ音を再生出力する場合は、設定されたメロディの音情報が音情報記憶部７３から読み出されて音情報信号としてメロディ再生部３に送られ、メロディ再生部３において所定のタイミングでメロディ音の再生が行われるとともに、この音情報信号に基づいてメロディ点滅制御部３５より着信音制御信号３２が制御部４の発光制御部４５，４６，４７に出力される。そして、発光制御部４５〜４７において、発光情報記憶部７４から色情報などの発光情報を受け取り、この発光情報と着信音制御信号３２とに基づいて対応する発光色と点滅タイミングの情報を含むメロディ同期点灯制御信号４２〜４４が生成され、これらがＬＥＤ駆動部２に出力される。
【００４２】
このとき、ＬＥＤ駆動部２の切替え部２７は、メロディ再生中は発光制御部側に切り替わっており、メロディ音に連動する発光情報を有するメロディ同期点灯制御信号４２〜４４がそれぞれ各駆動部２１〜２３に入力される。そして、着信ＬＥＤ駆動部２１、液晶バックライト駆動部２２、キーＬＥＤ駆動部２３のそれぞれにおいて、メロディ同期点灯制御信号４２，４３，４４に基づいてメロディ音の再生情報に応じた駆動信号２４，２５，２６が生成されて出力され、発光出力部１の着信ＬＥＤ１１、液晶バックライトＬＥＤ１２、キーＬＥＤ１３にそれぞれ供給されて各ＬＥＤが点灯駆動される。これにより、発光出力部１では、メロディ再生部３により再生されるメロディ音の鳴動に連動させて各ＬＥＤ１１〜１３毎にＬＥＤの点滅タイミング及びＬＥＤの発光色を変化させて点滅させることができる。
【００４３】
このように、本実施形態では、再生するメロディの音情報とこのメロディに連動させて点滅するようにＬＥＤの点滅タイミング及び点滅色を変化させるのに必要な色情報を含む各種発光情報とを一つ又は複数記憶しておき、これらの情報に基づいて第１実施形態と同様に、従来のようなキー操作時や着信時に液晶バックライトＬＥＤ及びキーＬＥＤを点灯させたり、着信ＬＥＤを一様な態様で点滅させるのに加えて、着信音等のメロディ再生時には、そのメロディの音色、旋律、リズム等に連動させて、各ＬＥＤの発光色を変化させたりしながら点滅動作を実施することができる。
【００４４】
また、制御部４の管理下でユーザがキー操作部５を用いて入力操作を行うだけで、記憶部７に適宜選定したメロディ及びＬＥＤ点滅色等に関する情報を記憶し、発光出力部１の各ＬＥＤ毎に所望の点滅状態をユーザによって容易に設定できる。このため、同一機種の携帯通信装置を所持している場合であっても、各ユーザ毎にメロディ音に連動する点滅態様を異ならせて設定することができ、多様なユーザの要求に柔軟かつ容易に対応することが可能である。
【００４５】
［第３実施形態］
図４は本発明の第３実施形態に係る携帯通信装置の主要部の構成を示すブロック図である。
【００４６】
第３実施形態は、図３に示した第２実施形態の構成に加えて、バイブレータ機構等からなる振動部（振動手段に該当）８を備えている。その他の構成要素は第１及び第２実施形態と同様であり、ここでは説明を省略する。
【００４７】
振動部８には、ＬＥＤ駆動部２からの駆動信号２４に同期して振動信号８１が入力され、メロディ再生部３によるメロディ音の鳴動や着信ＬＥＤ１１の点滅に連動して振動部８が駆動されて振動し、これに伴って装置筐体を振動させるようになっている。
【００４８】
この場合、メロディ再生部３でメロディ音が再生されると、制御部４の発光制御部４５，４６，４７からメロディ同期点灯制御信号４２，４３，４４が出力され、ＬＥＤ駆動部２における着信ＬＥＤ駆動部２１、液晶バックライト駆動部２２、キーＬＥＤ駆動部２３のそれぞれでメロディ同期点灯制御信号４２，４３，４４に基づいて駆動信号２４，２５，２６が生成されて発光出力部１の着信ＬＥＤ１１、液晶バックライトＬＥＤ１２、キーＬＥＤ１３にそれぞれ供給され、各ＬＥＤが点灯駆動されてメロディ音に連動して点滅する。また、着信ＬＥＤ駆動部２１からの駆動信号２４に同期して振動信号８１が振動部８に供給され、振動部８が振動する。なお、着信ＬＥＤ１１を点滅駆動する着信ＬＥＤ駆動部２１からの駆動信号２４に同期させるだけでなく、代わりに液晶バックライト駆動部２２やキーＬＥＤ駆動部２３からの駆動信号２５，２６などに振動信号８１を同期させ、液晶バックライトＬＥＤ１２やキーＬＥＤ１３の点滅動作に連動して振動部８が振動するようにしてもよい。
【００４９】
このように、本実施形態では、着信音等のメロディ再生時には、そのメロディの音色、旋律、リズム等に連動させて、第１及び第２実施形態のように各ＬＥＤの発光色を変化させたりしながら点滅動作を行うとともに、同時にメロディ音の鳴動に連動するように携帯通信装置を振動させることができる。
【００５０】
［第４実施形態］
図５は本発明の第４実施形態に係る携帯通信装置の主要部の構成を示すブロック図、図６はメロディ音再生時のレベル変化を示すタイムチャートである。
【００５１】
第４実施形態は、図１に示した第１実施形態の構成において、メロディ再生部３の構成を一部変更した例である。この例のメロディ再生部３には、再生するメロディ音の音色状態を判定する音色判定部３６を有している。図６のメロディ音再生のタイムチャートに示すように、音源からメロディ音を再生する場合、一般に発音開始から停止まで「アタック」、「サスティーン」、「リリース」という段階をたどることになる。本実施形態では、上記の３つの音色状態のいずれかの状態のみにおいてＬＥＤを連動点滅させるようにしている。
【００５２】
例えば、メロディ音の鳴動開始の「アタック」時のみ、又はメロディ音が継続している「サスティーン」時のみに、ＬＥＤが点滅するように制御する。この場合、音色判定部３６で再生するメロディ音の音色を判定し、予め設定した該当する音色の期間（例えば「アタック」の期間）のみメロディ再生制御信号３１が制御部４へ出力される。そして、制御部４の発光制御部４５〜４７でメロディ再生制御信号３１に基づいてメロディ同期点灯制御信号４２〜４４が生成出力され、ＬＥＤ駆動部２の各駆動部２１〜２３でそれぞれメロディ同期点灯制御信号４２〜４４に基づいて駆動信号２４〜２６が生成されて発光出力部１の各ＬＥＤ１１〜１３へそれぞれ供給され、ＬＥＤが点滅駆動される。
【００５３】
このように、本実施形態では、着信音等のメロディ再生時に、そのメロディの「アタック」、「サスティーン」、「リリース」などの音色の状態に応じて、予め設定した特定の音色状態のときのみメロディ音に連動させて各ＬＥＤを点滅させることが可能となる。
【００５４】
［第５実施形態］
図７は本発明の第５実施形態に係る携帯通信装置の主要部の構成を示すブロック図である。
【００５５】
第５実施形態は、図１に示した第１実施形態の構成において、メロディ再生部３の構成を一部変更したもう一つの例である。この例のメロディ再生部３には、再生するメロディ音の音量レベルとして音圧を検出する音圧検出部３７を有している。本実施形態では、メロディ音再生時の音圧が予め設定した規定値以上となった場合にＬＥＤを連動点滅させるようにしている。
【００５６】
この場合、音圧検出部３７で再生するメロディ音の音圧を検出し、予め設定した規定値以上の音圧が検出されたときに、メロディ再生制御信号３１が制御部４へ出力される。そして、制御部４の発光制御部４５〜４７でメロディ再生制御信号３１に基づいてメロディ同期点灯制御信号４２〜４４が生成出力され、ＬＥＤ駆動部２の各駆動部２１〜２３でそれぞれメロディ同期点灯制御信号４２〜４４に基づいて駆動信号２４〜２６が生成されて発光出力部１の各ＬＥＤ１１〜１３へそれぞれ供給され、ＬＥＤが点滅駆動される。
【００５７】
このように、本実施形態では、着信音等のメロディ再生時に、その再生しているメロディ音の音圧（再生音量レベル）に応じて、音量レベルが規定値以上となった場合にメロディ音に連動させて各ＬＥＤを点滅させることが可能となる。
【００５８】
【発明の効果】
以上説明したように本発明によれば、着信時などにメロディ再生手段により再生されるメロディ音の鳴動に連動するようにしたりなど、点灯告知用の発光素子の点滅タイミングや点滅色等を多様に変化させることが可能な携帯通信装置を提供できる効果がある。
【図面の簡単な説明】
【図１】本発明の第１実施形態に係る携帯通信装置の主要部の構成を示すブロック図である。
【図２】ＬＥＤ駆動部の詳細構成の一例を示す構成説明図である。
【図３】本発明の第２実施形態に係る携帯通信装置の主要部の構成を示すブロック図である。
【図４】本発明の第３実施形態に係る携帯通信装置の主要部の構成を示すブロック図である。
【図５】本発明の第４実施形態に係る携帯通信装置の主要部の構成を示すブロック図である。
【図６】メロディ音再生時のレベル変化を示すタイムチャートである。
【図７】本発明の第５実施形態に係る携帯通信装置の主要部の構成を示すブロック図である。
【図８】従来の携帯通信装置の構成の一例を示すブロック図である。
【符号の説明】
１  発光出力部
２  ＬＥＤ駆動部
３  メロディ再生部
４  制御部
５  キー操作部
６  無線通信部
７  記憶部
８  振動部
１１  着信ＬＥＤ
１２  液晶バックライトＬＥＤ
１３  キーＬＥＤ
２１  着信ＬＥＤ駆動部
２２  液晶バックライト駆動部
２３  キーＬＥＤ駆動部
２４〜２６  駆動信号
２７  切替え部
３１  メロディ再生制御信号
３２  着信音制御信号
４１  キー点灯制御信号
４２，４３，４４  メロディ同期点灯制御信号
４５，４６，４７  発光制御部
４８  キー認識部
４９  着信制御部
７３  音情報記憶部
７４  発光情報記憶部
８１  振動信号
【図１】
0004371564.tif 000002
【図２】
0004371564.tif 000003
【図３】
0004371564.tif 000004
【図４】
0004371564.tif 000005
【図５】
0004371564.tif 000006
【図６】
0004371564.tif 000007
【図７】
0004371564.tif 000008
【図８】
0004371564.tif 000009